(57)【要約】【課題】介護用オムツを使用する者が立った姿勢で介護用オムツを装着する場合であっても、自分自身で容易にオムツを装着することができるようにした介護用オムツを提供する。【解決手段】縦長のフラット形状に形成されたオムツ本体の後端付近の両側に面ファスナーを設け、このオムツ本体を湾曲状に折り返した状態にして、面ファスナーをオムツ本体の前端部の両側に着脱自在に付着することにより、フラット形状のオムツ本体をパンツ形状のオムツとする介護用オムツにおいて、オムツ本体の後端部に帯状体を固定すると共に帯状体の端部に面ファスナーを設け、この帯状体を身体の腹部に回して固定することができる長さとした。【選択図】図１
0003157674.tif 000002
【実用新案登録請求の範囲】
【請求項１】
縦長のフラット形状に形成されたオムツ本体の後端付近の両側に面ファスナーを設け、このオムツ本体を湾曲状に折り返した状態にして、面ファスナーをオムツ本体の前端部の両側に着脱自在に付着することによって、フラット形状のオムツ本体をパンツ形状のオムツとする介護用オムツにおいて、オムツ本体の後端部に帯状体を固定すると共に帯状体の端部に面ファスナーを設け、この帯状体を身体の腹部に回して面ファスナーで固定することができる長さとしたことを特徴とする介護用オムツ。
【請求項２】
オムツ本体の後端部に固定した帯状体は、２本の帯状体の各端部をオムツ本体の後端部の両側に固定してなることを特徴とする請求項１記載の介護用オムツ。
【請求項３】
オムツ本体の後端部に固定した帯状体は、１本の帯状体の端部をオムツ本体の後端部の片側に固定してなることを特徴とする請求項１記載の介護用オムツ。
【考案の詳細な説明】
【技術分野】
【０００１】
本考案は、介護用オムツを使用する者が立った姿勢で介護用オムツを装着する場合であっても、自分自身で容易に装着することができるようにした介護用オムツに関する。
【背景技術】
【０００２】
近年においては、幼児用オムツのほかに大人用オムツが開発され、市販されている。この大人用オムツは、介護用オムツとも云われ、主に、入院患者や老人、又は身障者が必要とするものであり、紙等の原料によって使い捨てを可能とした使い捨てタイプのものが一般的に知られている。
【０００３】
また、上記の介護用オムツには、パンツ型オムツとフラット型オムツとがある。フラット型オムツはサイドで止めることによってパンツ型オムツに似たような形状となり、しかも外すときはサイドを外して容易にフラットにすることができる。従って、フラット型オムツは、特に寝たきりの要介護者であっても、寝た状態で、オムツの装着や取り外しができるという利点を有する。
【０００４】
このような介護用オムツの従来例について特許文献１を参照する。この特許文献１の「介護用パンツ型オムツ」は、縦長のフラットに形成された袋体の前部分の両側に前側羽根を設ける一方、袋体の後部の両側に後部羽根を設け、各後部羽根にマジックテープ（登録商標。以下、「面ファスナー」と云う）を設けたものである。また、袋体の前部分に設けた面ファスナーに水分吸収シートを付着し、使用時に、パンツ型オムツの形状にするか、フラット型オムツの形状にするかを使い分けることによって、症状が軽度の人から重い寝たきりの人まで使用できるようにしたものである。
【先行技術文献】
【特許文献】
【０００５】
【特許文献１】特開２００４−２８３６００号公報
【考案の概要】
【考案が解決しようとする課題】
【０００６】
上記のように、特許文献１の介護用オムツは、このオムツの袋体を装着した後に、面ファスナーによって、パンツ型オムツの形状に固定するようにしたものである。従って、面ファスナーでパンツ型オムツの形状に固定する前の袋体はフラットな形状である。
【０００７】
ところで、要介護者のなかでも、自分でオムツの装着をすることが要求される場合がある。そのとき、立った姿勢で特許文献１のようなフラットな形状のオムツを装着するには、オムツの後端部を一方の手で持ち、その手を身体の背中の下方に当てて広げた後、オムツを身体の後方に垂れ下げた状態にする。そして、他方の手でオムツの前端部を持って股の間から回して腹部の下方へ当てるのである。しかしながら、この状態では、両手がふさがっているため、オムツの後端部の面ファスナーをオムツの前端部に付着する作業が困難である。従って、立った姿勢の者が自分自身でオムツを装着する作業は極めて困難となり、その作業に思わぬ労力を要することとなる。
【０００８】
本考案は、上記の事情に鑑みてなされたものであり、介護用オムツを使用する者が立った姿勢で介護用オムツを装着する場合であっても、自分自身で容易に装着することができるようにした介護用オムツを提供することを目的とする。
【課題を解決するための手段】
【０００９】
上記の目的を達成するために、本考案の請求項１の介護用オムツは、縦長のフラット形状に形成されたオムツ本体の後端付近の両側に面ファスナーを設け、このオムツ本体を湾曲状に折り返した状態にして、面ファスナーをオムツ本体の前端部の両側に着脱自在に付着することにより、フラット形状のオムツ本体をパンツ形状のオムツとする介護用オムツにおいて、オムツ本体の後端部に帯状体を固定すると共に帯状体の端部に面ファスナーを設け、この帯状体を身体の腹部に回して面ファスナーで固定することができる長さとしたことを特徴とする。
【００１０】
また、本考案の請求項２の介護用オムツは、請求項１において、オムツ本体の後端部に固定した帯状体は、２本の帯状体の各端部をオムツ本体の後端部の両側に固定してなることを特徴とする。
【００１１】
さらに、本考案の請求項３の介護用オムツは、請求項１において、オムツ本体の後端部に固定した帯状体は、１本の帯状体の端部をオムツ本体の後端部の片側に固定してなることを特徴とする。
【考案の効果】
【００１２】
本考案の介護用オムツは、オムツ本体の後端部に帯状体を固定すると共に帯状体の端部に面ファスナーを設け、この帯状体を身体の腹部に回して面ファスナーで固定することができる長さとしてある。このような構成により、両手を使って帯状体を腹部側に回すと共に、帯状体を面ファスナーで腹部に固定状態にすると、両手を放しても、オムツ本体は使用者の背中の下方で垂れ下がった状態を保つ。
【００１３】
従って、この状態で、使用者は両手を自由に使用することができ、オムツ本体の前端部を使用者の股下から前方へ回して腹部側へ当て、それを一方の手で押え、他方の手でオムツ本体の後端部の両側に設けられた各固定用帯片の面ファスナーをオムツ本体の前端部の両側に付着することができる。これによって、本考案の介護用オムツをパンツ型オムツのような形状にして装着することが可能となる。
【図面の簡単な説明】
【００１４】
【図１】本考案による実施例の介護用オムツを示す平面図である。
【図２】本考案による他の実施例の介護用オムツを示す平面図である。
【図３】(ａ)、（ｂ）は、本考案による実施例の介護用オムツの装着時の手順を示す図である。
【図４】(ａ)、（ｂ）は、本考案による実施例の介護用オムツの装着時の手順を示す図である。
【考案を実施するための形態】
【００１５】
以下、本考案の実施例について図面を参照しながら説明する。
【実施例】
【００１６】
本考案による介護用オムツ１は、図１に示すように、縦長のフラット形状に形成されたオムツ本体２を有する。このオムツ本体２は、不織布等の吸湿性に優れた紙製等によって形成されている。また、オムツ本体２の後端部３と前端部４とは中央部５よりも広域に形成されている。なお、本考案において、オムツ本体２の形状や材質を規定するものではなく、他の一般的な使い捨ての紙おむつ等に使用されている材質または形状を適用することも可能である。
【００１７】
また、オムツ本体２の内部には水分吸収シート６が設けられると共に、オムツ本体２の中央には間隔を開けて縦方向に２条の防湿帯７ａ、７ｂが形成され、夫々の防湿帯７ａ、７ｂは前後の端部（縫込み部７ｃ）で縫い込まれて固定されている。さらに、これらの防湿帯７ａ、７ｂ間は水分吸収シート６が露呈された状態にされ、防湿帯７ａ、７ｂ間において水分吸収シート６で糞尿を効率的に吸収すると共に、この吸収した糞尿が両側の防湿帯７ａ、７ｂから外方へ漏れないようにしている。
【００１８】
また、オムツ本体２の中央部５の左右の側端部には伸縮性縫込み部８ａ、８ｂが形成され、この伸縮性縫込み部８ａ、８ｂによって、オムツ本体２の中央部５の両側を縦方向へ伸縮可能としている。
【００１９】
さらに、オムツ本体２の広域をなす後端部３の両側には前後にダブルで間隔をあけて固定用帯片９、９…が設けられ、各固定用帯片９、９…の端部には面ファスナー１０が固定されている。夫々の面ファスナー１０はオムツ本体２の前端部４の両側に付着させることが可能とされている。なお、この面ファスナー１０は、不織布等に対して独自で付着することが可能なものである。従って、オムツ本体２の前端部４の側に面ファスナーを設けなくてもよい構成とされている。
【００２０】
上記の構成において、オムツ本体２の後端部３に帯状体１１を固定すると共に帯状体１１の端部に面ファスナー１２を設け、この帯状体１１を身体の腹部に回して面ファスナー１２で固定することができる長さとしている。なお、このオムツ本体２を装着する人の様々な体格に対応することができるように、この帯状体１１の長さは余裕を持って長いものにすることが望ましい。また、帯状体１１は不織布等紙製により構成してもよいが、強度を確保するため不織布を何重かに帯状に折り曲げる必要がある。また、この帯状体１１は不織布等の材料以外のもので形成してもよい。
【００２１】
上記のように構成した帯状体１１は、２本の帯状体１１ａ、１１ｂによって構成する場合と、１本の帯状体１１ｃによって構成する場合とがある。即ち、図１に示すように、２本の帯状体１１ａ、１１ａの各端部をオムツ本体２の後端部３の両側に固定し、片方の帯状体１１ａの端部に面ファスナー１２を設けた構成としてもよい。さらに、図２に示すように、長尺の１本の帯状体１１ｃの端部をオムツ本体２の後端部３の片側に固定し、この帯状体１１ｃの端部に面ファスナー１２を設けた構成としてもよい。
【００２２】
以下、上記のように構成された介護用オムツ１の使用方法について説明する。その説明としては、図１に示す２本の帯状体１１ａ、１１ｂを使用した介護用オムツ１について説明してあるが、図２に示す１本の帯状体１１ｃを使用した場合でも略同様に使用することが可能である。
【００２３】
まず、図３（ａ）は介護用オムツ１の使用者の腰部付近を背中側から見た図である。また、図３（ａ）、図４（ａ）、（ｂ）は介護用オムツ１の使用者の腰部付近を腹部側から見た図である。
【００２４】
まず、図３（ａ）に示すように、両方の夫々の手で両側の帯状体１１ａ、１１ｂを持つことにより、オムツ本体２を使用者の背中側の下方に広げた状態にし、図３(ｂ)に示すように両側の帯状体１１ａ、１１ｂを腹部側に回す。次いで、両手を使って、図４（ａ）に示すように、一方の帯状体１１ａの面ファスナー１２を他方の帯状体１１ｂの端部に付着する。この状態で、両手をオムツ本体２から放しても、オムツ本体２は、帯状体１１ａ、１１ｂによって、使用者の背中の下方、即ち臀部の下方に垂れ下がった状態を保つ。従って、この状態で、使用者は両手を自由に使用することが可能である。
【００２５】
次いで、図４（ｂ）に示すように、オムツ本体２の前端部４を使用者の股下から前方へ回して腹部側へ当て、それを一方の手で押える。また、他方の手でオムツ本体２の後端部３の両側に設けられた各固定用帯片９、９…の面ファスナー１０をオムツ本体２の前端部４の両側に付着する。これによって、この介護用オムツ１をパンツ型オムツのような形状にして装着することが可能となる。
【００２６】
また、図２に示す１本の帯状体１１ｃを有する介護用オムツの場合、図３（ａ）に示すようにオムツ本体２を使用者の背中側の下方に広げた状態にして、１本の帯状体１１を腹部側に回してオムツ本体２の後端部３の側部に付着する。その後は、図４（ｂ）に示すように、オムツ本体２の前端部４を使用者の股下から前方へ回して腹部側へ当て、それを一方の手で押え、他方の手でオムツ本体２の後端部３の両側に設けられた各固定用帯片９、９…の面ファスナー１０をオムツ本体２の前端部４の両側に付着するとよい。
【００２７】
なお、図１に示すように２本の帯状体１１ａ、１１ｂを有する場合、または図２に示すように１本の帯状体１１ｃを有する場合のいずれであっても、本実施例の介護用オムツ１を取り外すときは、固定用帯片９、９…を取り外した際に一方の手で前端部４を押えた状態にして、他方の手で各固定用帯片９、９…を前端部４から取外した後、他方の手で帯状体１１を取り外すことができる。従って、本実施例の帯状体１１を有する介護用オムツであれば、使用者が立った状態でオムツを装着するときだけではなく、オムツを取り外す際にも便利なものとなる。
【産業上の利用可能性】
【００２８】
本考案の介護用オムツは、介護用オムツを使用する者が立った姿勢で介護用オムツを装着する場合であっても、自分自身で容易にオムツを装着することができるようにした介護用オムツとして利用可能である。
【符号の説明】
【００２９】
１  介護用オムツ
２  オムツ本体
３  後端部
４  前端部
５  中央部
６  水分吸収シート
７ａ、７ｂ  防湿帯
７ｃ  縫込み部
８ａ、８ｂ  伸縮性縫込み部
９  固定用帯片
１０  面ファスナー
１１  帯状体
１１ａ、１１ａ  ２本の帯状体
１１ｃ  １本の帯状体
１２  面ファスナー
【図１】
0003157674.tif 000003
【図２】
0003157674.tif 000004
【図３】
0003157674.tif 000005
【図４】
0003157674.tif 000006